(57)【特許請求の範囲】
【請求項１】
電動モータの回転出力を適宜な動力伝達機構を介してフレキシブルシャフトの一端に伝達する動力ユニットと、前記フレキシブルシャフトの他端と適宜な動力伝達機構を介して伝動連結されてその回転駆動力により内刃を駆動するカミソリユニットとに分割構成され、前記動力ユニットは円筒形のケース胴部に前記電動モータおよび前記動力伝達機構を内蔵しており、この円筒形ケース胴部の両端部にフランジが一体形成され、前記フレキシブルシャフトを巻き付けて収納するリールを構成していることを特徴とするセパレート式電気カミソリ。
【請求項２】
請求項１において、前記カミソリユニットは、利用者が掌と指で保持するグリップ部の正面に円形ドーム型の回転式カミソリ機構が突設されており、その内刃の回転軸は前記グリップ部正面に直交しており、前記グリップ部の基部に前記回転軸と直交する方向に前記フレキシブルシャフトが連結されており、前記グリップ部の内部には前記フレキシブルシャフトの回転軸を前記内刃の回転軸に方向転換する歯車機構が内蔵されていることを特徴とするセパレート式電気カミソリ。
【請求項３】
請求項１において、前記電動モータの外側が電磁波シールド材で覆われていることを特徴とするセパレート式電気カミソリ。
【請求項４】
請求項１において、前記電動モータは交流モータであり、前記動力ユニットには商用電源ケーブルが接続されていることを特徴とするセパレート式電気カミソリ。
【発明の詳細な説明】
【０００１】
【発明の属する技術分野】
本発明は電気カミソリに関し、特に電動モータから発生する電磁波が人体に対し悪影響を及ぼすのを回避するための技術に関する。
【０００２】
【従来の技術】
最近、身の回りにある電化製品から発生する電磁波が人体に対して悪影響を及ぼすとして問題になっている。冷蔵庫や扇風機、掃除機などに搭載される電動モータが主な発生源となっている。とくに交流モータからはかなり強力な電磁波が発生して多大な影響を及ぼしている。
【０００３】
【発明が解決しようとする課題】
電化製品のなかでもとくに電気カミソリは人体に対し与える影響がきわめて大きい。電気カミソリは人の肌に直接接触して使用されるため、電磁波発生源となるモータと皮膚との距離がきわめて短く、人が浴びる電磁波の強度もそれだけ強力となる。しかも、電気カミソリは毎日繰り返し使用されるものであるから、１日当たりの被曝時間が短くても長期にわたり影響を与え、きわめて危険であると言われている。
【０００４】
本発明はこのような事情に鑑みてなされたものであって、その目的は、電動モータから発生した電磁波が人体に対し悪影響を及ぼすのを回避できる安全な電気カミソリを提供することにある。
【０００５】
【課題を解決するための手段】
そこでこの発明では、電動モータの回転出力を適宜な動力伝達機構を介してフレキシブルシャフトの一端に伝達する動力ユニットと、前記フレキシブルシャフトの他端と適宜な動力伝達機構を介して伝動連結されてその回転駆動力により内刃を駆動するカミソリユニットとに分割構成し、適当な長さの前記フレキシブルシャフトを介して内刃の動力を伝達するようにした。
【０００６】
この電気カミソリにあっては、次の各事項（Ａ）〜（Ｄ）により実施されると一層好ましい。
（Ａ）前記動力ユニットは円筒形のケース胴部に前記電動モータおよび前記動力伝達機構を内蔵しており、この円筒形ケース胴部の両端部にフランジが一体形成され、前記フレキシブルシャフトを巻き付けて収納するリールを構成するようにする。
（Ｂ）前記カミソリユニットは、利用者が掌と指で保持するグリップ部の正面に円形ドーム型の回転式カミソリ機構が突設されており、その内刃の回転軸は前記グリップ部正面に直交しており、前記グリップ部の基部に前記回転軸と直交する方向に前記フレキシブルシャフトが連結されており、前記グリップ部の内部には前記フレキシブルシャフトの回転軸を前記内刃の回転軸に方向転換する歯車機構が内蔵されている。
（Ｃ）前記電動モータの外側が電磁波シールド材で覆われている。
（Ｄ）前記電動モータが交流モータの場合には、前記動力ユニットに商用電源ケーブルを接続する。
【０００７】
【発明の実施の形態】
本発明のセパレート式電気カミソリの構造例を図１に示す。電気カミソリは、カミソリユニット１０と動力ユニット２０との２分割構成になっている。カミソリユニット１０は、利用者が片手で持ち易い形態のグリップ部となるプラスチック製小型ケース１１にまとめられている。ケース１１の正面は円形ドーム型の回転式カミソリ機構１２が突設されている。カミソリ機構１２の外刃１３の内側には図示していない内刃が配置されている。内刃は、グリップ正面部と直交してケース１１内に配置された回転軸（図示外）の先端に取付けられ、この回転軸を中心に回転駆動される。
【０００８】
動力ユニット２０は、円筒形のケース胴部２１の両端部にそれぞれ矩形状のフランジ２２を一体的に有するプラスチック製ケース２３にまとめられている。ケース胴部２１の内部には交流モータ２４が固定されている。交流モータ２４の外側は電磁波シールド材で覆われている。交流モータ２４の駆動用電源ケーブル２５はフランジ２２の穴から外部に配線され、一般家庭に設置されている商用電源用コンセントに差し込まれる。
【０００９】
動力ユニット２０の交流モータ２４の回転駆動力をカミソリユニット１０の内刃回転軸に伝達すべく、２つのユニット１０，２０は、長さが３０ｃｍ以上あるフレキシブルシャフト３０でつながれている。このフレキシブルシャフト３０は、図中詳細図Ａに示すように、動力伝達軸３１と、この軸３１の外側を包み込んでいる軸受チューブ３２と、チューブ３２の外側を被覆している保護チューブ３３とからなる。軸受チューブ３２は動力ユニット２０においてケース胴部２１の外周に固定され、カミソリユニット１０においてケース１１の基部に固定されている。
【００１０】
動力ユニット２０において交流モータ２４の出力シャフトはギヤボックス２６に結合されている。ギヤボックス２６は、図中拡大図Ｂに示すように２つの傘歯車４０を噛み合わせた機構になっており、一方の傘歯車４０の軸に交流モータ２４の出力シャフトが結合され、他方の傘歯車４０の軸にフレキシブルシャフト３０の動力伝達軸３１端部が結合されている。交流モータ２４からの回転駆動力は２つの傘歯車４０により方向転換されてフレキシブルシャフト３０の動力伝達軸３１に伝達される。
【００１１】
カミソリユニット１０の内部にも前記と同じ傘歯車４０による方向転換機構があり、一方の傘歯車４０に内刃が結合されている。他方の傘歯車４０には動力伝達軸３１が結合されている。交流モータ２４が回転駆動すると内刃が回転する。従って、動力ユニット２０を洗面台に置きながら、カミソリユニット１０だけを顔面に当てて使用することができる。利用者は交流モータ２４から発生する電磁波の影響をほとんど受けずに済む。
【００１２】
電気カミソリ使用後は、図２に示すように、フレキシブルシャフト３０を動力ユニット２０のケース胴部２１の外周に巻き付けてフランジ２２間に収容する。このとき、フランジ２２間の寸法をカミソリユニット１１のカミソリ機構部１２の直径寸法よりも大きくかつグリップ部の幅寸法よりも小さく設定すれば、図２に示すように、ちょうどフランジ２２間にカミソリ機構１２を収めることができ、全体をコンパクトにまとめることができる。
【００１３】
＝＝＝他の実施の形態＝＝＝
（１）動力ユニット２０に搭載される電動モータは交流モータの他に直流モータや他の駆動式のモータであってもかまわない。
【００１４】
（２）内刃の駆動方式としては回転駆動式以外に往復駆動式など他の方式を採用してもよい。
【００１５】
（３）傘歯車４０機構は必ずしも必要ではなく、フレキシブルシャフト３０がモータの出力シャフトや内刃の回転軸と直接結合されていてもよい。
【００１６】
（４）フレキシブルシャフト３０とモータの出力シャフトや内刃の回転軸との間の動力伝達機構には減速機構や増速機構が含まれていてもかまわない。
【００１７】
（５）利用者がカミソリを片手で持ちながらより簡単に操作できるように、カミソリユニットの外面に電動モータの電源をＯＮ／ＯＦＦできる電源スイッチや電動モータの回転出力を変速操作できる運転制御スイッチなどを設けるとよい。各スイッチと電動モータの制御回路とをフレキシブルケーブルと並行に配設された信号ケーブルで結ぶことで、利用者はカミソリを使用しながらモータの電源やモータの回転速度などを操作することができる。
【００１８】
【発明の効果】
この発明では、電磁波の発生源となる電動モータと、人体と直接密着するカミソリ部とを所定の間隔をおいて分離されているから、電動モータから電磁波が発生してもこれを人体が至近で浴びるのを回避することができる。従って、電動モータから発生する電磁波が人体に対し及ぼす悪影響を最小限にくい止めることができる。
【００１９】
とくに、動力ユニットの外周にリールを設ければ、フレキシブルシャフトをスムーズに保管することができる。また、フレキシブルシャフトの回転方向と電動モータの回転方向または内刃の回転方向とが一致しない場合に、方向転換する適宜な歯車機構を設けることで問題を解決することができる。また、電動モータの外側を適宜な電磁波シールド材で覆うことで電磁波から受ける影響をより少なくすることができる。交流モータの場合、動力ユニットに商用電源ケーブルを設ければ、直接コンセントにつないで使用することができる。
【図面の簡単な説明】
【図１】本発明のセパレート式電気カミソリの一実施形態を示した斜視図である。
【図２】図１のセパレート式電気カミソリの非使用時の保管状態の一例を示した斜視図である。
【符号の説明】
１０  カミソリユニット
１１  ケース
１２  カミソリ機構
１３  外刃
２０  動力ユニット
２１  ケース胴部
２２  フランジ
２４  交流モータ
２５  電源ケーブル
３０  フレキシブルシャフト
【図１】
0004355401.tif 000002
【図２】
0004355401.tif 000003